(57)【要約】【課題】フィルタを小型化しても集塵能力の低下を防止可能なフィルタ構造を提供する。【解決手段】空気流入方向に対して直交方向に配置される集塵面Ｓが山部１ａと谷部１ｂとが交互に連続するようにプリーツ加工されたフィルタ１の、各谷部１ｂの長手方向に沿った一方の端部に、谷部１ｂを折り曲げ中心にして内側に折り曲げて形成した第１側部集塵面１ｆを設けるとともに、各山部１ａの長手方向に沿った第１側部集塵面１ｆと反対側の端部に山部を折り曲げ中心にして内側に折り曲げて形成した第２側部集塵面１ｊを設けた。【選択図】図１
2010234182.tif 000002
【特許請求の範囲】
【請求項１】
空気流入方向に対して直交方向に配置される集塵面が山部と谷部とが交互に連続するようにプリーツ加工されたフィルタの、前記各谷部に沿った一方の端部に、前記谷部を折り曲げ中心にして内側に折り曲げて形成した第１側部集塵面を設けるとともに、前記各山部に沿った前記第１側部集塵面と反対側の端部に前記山部を折り曲げ中心にして内側に折り曲げて形成した第２側部集塵面を設けたことを特徴とするフィルタ構造。
【請求項２】
前記フィルタは、開口したフィルタケース内側に前記集塵面が空気流入方向に対して直交方向となるように入れて固定され、前記フィルタケースに、前記第１側部集塵面の前記山部側を前記フィルタの一方側から覆う遮蔽板を設けるとともに、前記第２側部集塵面の前記谷部側を前記フィルタの他方側から覆う遮蔽板を設けたことを特徴とするフィルタ構造。
【発明の詳細な説明】
【技術分野】
【０００１】
本発明は、例えば車両用空気清浄装置などの送風路に設置されるフィルタ構造に関する。
【背景技術】
【０００２】
車両用空気清浄装置や車両用空調装置などでは、送風ファンで吸込んだ空気中の塵埃や花粉等の異物を除去するフィルタが送風路に設置されている（例えば、特許文献１参照）。前記特許文献１のようなフィルタ構造では、蛇腹状にプリーツ加工されているフィルタ部材の表面（蛇腹状にプリーツ加工されている面）側を空気流れ方向に対して直交するようにして送風路に設置し、送風路に導入された空気がフィルタを通過する際に空気中の塵埃や花粉等の異物を捕捉するものである。
【先行技術文献】
【特許文献】
【０００３】
【特許文献１】実開平５−９３９２９号公報
【発明の概要】
【発明が解決しようとする課題】
【０００４】
ところで、近年、車両用空気清浄装置や車両用空調装置の小型（コンパクト）化が求められているが、特許文献１のような蛇腹状に折り曲げられているフィルタを小型化すると集塵面積も小さくなり、集塵能力が低下する。このため、近年、フィルタを小型化しても集塵能力の低下を防止できるようなフィルタ構造が望まれている。
【０００５】
そこで、本発明は、フィルタを小型化しても集塵能力の低下を防止可能なフィルタ構造を提供することを目的とする。
【課題を解決するための手段】
【０００６】
前記目的を達成するために請求項１に係る本発明のフィルタ構造は、空気流入方向に対して直交方向に配置される集塵面が山部と谷部とが交互に連続するようにプリーツ加工されたフィルタの、前記各谷部の長手方向に沿った一方の端部に、前記谷部を折り曲げ中心にして内側に折り曲げて形成した第１側部集塵面を設けるとともに、前記各山部の長手方向に沿った前記第１側部集塵面と反対側の端部に前記山部を折り曲げ中心にして内側に折り曲げて形成した第２側部集塵面を設けたことを特徴としている。
【０００７】
また、請求項２に係る本発明のフィルタ構造は、前記フィルタを、開口したフィルタケース内側に前記集塵面が空気流入方向に対して直交方向となるように入れて固定し、前記フィルタケースに、前記第１側部集塵面の前記山部側を前記フィルタの一方側から覆う遮蔽板を設けるとともに、前記第２側部集塵面の前記谷部側を前記フィルタの他方側から覆う遮蔽板を設けたことを特徴としている。
【発明の効果】
【０００８】
請求項１に記載のフィルタ構造によれば、フィルタの山部と谷部とが交互に連続するプリーツ加工された集塵面の他に、この集塵面の両側に第１側部集塵面と第２側部集塵面をそれぞれ設けたことにより、フィルタを大型化することなく集塵面積を増やすことが可能となるので、フィルタを小型化した場合においても、集塵能力の低下を防止することができる。更に、フィルタの両側に設けた第１側部集塵面と第２側部集塵面によって剛性が向上し、フィルタの変形を防止することができる。
【０００９】
また、請求項２に記載のフィルタ構造によれば、フィルタケースに、第１側部集塵面の山部側をフィルタの一方側から覆う遮蔽板を設けるとともに、第２側部集塵面の谷部側をフィルタの他方側から覆う遮蔽板を設けたことにより、フィルタの両側に設けた第１側部集塵面と第２側部集塵面に効果的に空気を流すことができるので、更に効果的に空気中の異物を捕獲することができる。
【図面の簡単な説明】
【００１０】
【図１】本発明の実施形態に係るフィルタ構造を適用したフィルタを示す斜視図。
【図２】（ａ）は、本発明の実施形態に係るフィルタ構造を適用したフィルタの一方側の側面を示す図、（ｂ）は、このフィルタの他方側の側面を示す図。
【図３】本発明の実施形態に係るフィルタ構造を適用したフィルタを展開した状態を示す図。
【図４】本発明の実施形態に係るフィルタ構造を適用したフィルタをフィルタケース内に装着した状態を示す斜視図。
【図５】本発明の実施形態に係るフィルタ構造を示す平面図。
【発明を実施するための形態】
【００１１】
以下、本発明を図示の実施形態に基づいて説明する。図１は、発明の実施形態に係るフィルタ構造を適用したフィルタを示す斜視図、図２（ａ）は、このフィルタの一方側の側面を示す図、（ｂ）は、このフィルタの他方側の側面を示す図である。なお、本実施形態のフィルタは、車両用空気清浄装置などの送風路に設置され、送風路を流れる空気中の異物（塵埃や花粉等）を捕捉するための集塵フィルタである。
【００１２】
図１に示すように、本実施形態のフィルタ１は、山部（凸部）１ａと谷部（凹部）１ｂとが交互に連続するようにして集塵面Ｓが蛇腹状にプリーツ加工されており、各谷部（凹部）１ｂの一方側端面（図１の左前方側）には、３本の折り線１ｃ，１ｄ，１ｅに沿って中央の折り線１ｄを折り曲げ中心にして上側（内側）に折り曲げるようにしてそれぞれ形成された逆三角形状の第１側部集塵面１ｆ（図２（ａ）参照）を有している。また、各山部（凸部）１ａの他方側端面（図１の右後方側）には、３本の折り線１ｇ，１ｈ，１ｉに沿って中央の折り線１ｈを折り曲げ中心にして下側（内側）に折り曲げるようにしてそれぞれ形成された三角形状の第２側部集塵面１ｊ（図２（ｂ）参照）を有している。フィルタ１の材質としては、例えば不織布等を用いることができる。
【００１３】
このフィルタ１を展開した状態では、図３に示すように、所定間隔で山部１ａとなる山折り線（一点鎖線部分）１ａ’と谷部１ｂとなる谷折り線（二点鎖線部分）１ｂ’が交互に形成されている。更に、谷折り線１ｂ’の一方側（図３の左側）には、前記３本の折り線１ｃ，１ｄ，１ｅが形成され、山折り線１ａ’の他方側（図３の右側）には、前記３本の折り線１ｇ，１ｈ，１ｉが形成されている。
【００１４】
図３に示した展開状態のフィルタ部材１’に対して、山折り線１ａ’を山折りすると共に谷折り線１ｂ’を谷折りした後に、３本の折り線１ｃ，１ｄ，１ｅに沿って中央の折り線１ｄを中心にして上側（図３の紙面に対して手前側）に折り曲げ、更に、３本の折り線１ｇ，１ｈ，１ｉに沿って中央の折り線１ｈを折り曲げ中心にして下側（図３の紙面に対して奥側）に折り曲げるようして成形する。
【００１５】
これにより、図１に示したように、山部１ａと谷部１ｂとが交互に連続するプリーツ加工された集塵面Ｓを有し、更に、この集塵面Ｓの両側に第１側部集塵面１ｆと第２側部集塵面１ｊをそれぞれ有するフィルタ１が得られる。
【００１６】
そして、図４に示すように、前記フィルタ１を、山部１ａと谷部１ｂとが交互に連続するプリーツ加工された集塵面Ｓが、送風路（不図示）を通して導入される空気の流れ方向Ａに対して直交するようにして、上面と下面が開口した枠体としてのフィルタケース２内に着脱可能に装着する。この際、フィルタ１の長手方向両側面がフィルタケース２の内壁面に形成された係止部材（不図示）に係止されることで、フィルタ１がフィルタケース２内に固定される。
【００１７】
そして、図５に示すように、フィルタ１の第１側部集塵面１ｆ付近の前面（山部１ａ側）を覆うようにして、フィルタケース２の一方側（図５の手前側）に遮蔽板２ａを設置し、更に、フィルタ１の第２側部集塵面１ｊ付近の背面（谷部１ｂ側）を覆うようにして、フィルタケース２の他方側（図５の奥側）に遮蔽板２ｂを設置する。
【００１８】
図５に示すように、前記フィルタ１をフィルタケース２内に配置した本実施形態のフィルタ構造では、送風路（不図示）を通して導入される空気は、フィルタケース２内に設置されたフィルタ１のプリーツ加工された集塵面Ｓに対して直交方向（図５においては、紙面に対して手前方向）から流入し（Ａは空気の流れ方向）、この集塵面Ｓで空気中の異物が捕獲される。これは通常のプリーツフィルタと同様である。
【００１９】
そして、更に、集塵面Ｓに対して直交方向（図５においては、紙面に対して手前方向）から流入した空気の一部は、集塵面Ｓの表面に沿ってフィルタ１の山部１ａと谷部１ｂの間に形成される隙間から各第１側部集塵面１ｆの内側に流入する（Ａ１はこのときの空気の流れ方向）。各第１側部集塵面１ｆを通過した空気は、フィルタケース２内の他方側の開口方向（図５の奥側）に流れる。空気が各第１側部集塵面１ｆを通過するときに空気中の異物が捕獲される。なお、各第１側部集塵面１ｆの前面には遮蔽板２ａが設置されているので、フィルタケース２内の第１側部集塵面１ｆの外側の空間から空気がフィルタケース２内を通過することはない。
【００２０】
また、フィルタケース２内の第２側部集塵面１ｊの外側に形成される空間Ｃに流入した空気は、第２側部集塵面１ｊ付近の背面（谷部１ｂ側）に設けている遮蔽板２ｂによって、フィルタケース２内の第２側部集塵面１ｊの外側の空間Ｃから各第２側部集塵面１ｊの外側に流入する（Ａ２はこのときの空気の流れ方向）。各第２側部集塵面１ｊを通過した空気は、フィルタケース２内の他方側の開口方向（図５の奥側）に流れる。空気が各第２側部集塵面１ｊを通過するときに空気中の異物が捕獲される。なお、第２側部集塵面１ｊの背面には遮蔽板２ｂが設置されているので、フィルタケース２内の第２側部集塵面１ｊの外側の空間Ｃから空気がフィルタケース２内を通過することはない。
【００２１】
このように、本実施形態のフィルタ構造によれば、フィルタ１の山部１ａと谷部１ｂとが交互に連続するプリーツ加工された集塵面Ｓの他に、集塵面Ｓの両側に第１側部集塵面１ｆと第２側部集塵面１ｊを設けたことにより、フィルタ１を大型化することなく集塵面積を増やすことが可能となるので、集塵能力の向上を図ることができる。よって、フィルタ１を小型化した場合においても、集塵能力の低下を防止して良好な集塵能力を発揮することができる。
【００２２】
また、フィルタ１の長手方向両側に、折り曲げて形成した第１側部集塵面１ｆと第２側部集塵面１ｊを設けているので、フィルタ１の剛性が向上し、フィルタ１の変形を防止することができる。
【符号の説明】
【００２３】
１        フィルタ
１ａ      山部
１ｂ      谷部
１ｆ      第１側部集塵面
１ｊ      第２側部集塵面
２        フィルタケース
２ａ、２ｂ      遮蔽板
Ｓ        集塵面
【図１】
2010234182.tif 000003
【図２】
2010234182.tif 000004
【図３】
2010234182.tif 000005
【図４】
2010234182.tif 000006
【図５】
2010234182.tif 000007